(57)【特許請求の範囲】
【請求項１】
センサハウジングに脈拍センサが収納された脈拍センサユニットと、脈拍数を表示する表示部を少なくとも備える脈拍計測器と、前記脈拍計測器に固定された腕装着バンドであって前記脈拍センサユニットが長手方向に位置調節が可能なようにして取り付けられた腕装着バンドとからなる脈拍計測装置において、前記脈拍センサユニットに無線送信部を且つ前記脈拍計測器に無線受信部をそれぞれ備え、
前記脈拍センサには、計測器ケースに収納されている電池から前記腕装着バンドに設けられた電源用配線によって駆動電圧が供給されることを特徴とする脈拍計測装置。
【請求項２】
前記脈拍センサユニットは前記脈拍センサの脈拍検出信号を前記無線送信部から送信するものであり、前記脈拍計測器は前記無線受信部で前記脈拍検出信号を受信し、その信号処理部で脈拍数に演算処理し、前記脈拍数を前記表示部で表示するものであることを特徴とする請求項１に記載の脈拍計測装置。
【請求項３】
前記脈拍センサユニットは前記脈拍センサの脈拍検出信号をその信号処理部で脈拍数に演算処理し、前記脈拍数を前記無線送信部から送信するものであり、前記脈拍計測器は前記無線受信部で前記脈拍数を受信し、前記表示部で表示するものであることを特徴とする請求項１に記載の脈拍計測装置。
【請求項４】
前記電源用配線は前記脈拍センサユニットの取付位置で部分的に露出した露出部を有する一対の埋設線であり、前記脈拍センサユニットの可動性電源端子が前記電源用配線の露出部に電気的に接触するように配置されていることを特徴とする請求項１〜３のいずれかに記載の脈拍計測装置。
【請求項５】
前記脈拍センサユニットの取付位置は前記腕装着バンドに形成されたスリットであり、前記電源用配線は前記スリットの両側に長手方向に形成されている位置調節用凹み部の底面において露出部を有することを特徴とする請求項４に記載の脈拍計測装置。
【請求項６】
前記脈拍センサユニットの可動性電源端子は、前記センサハウジングに配置された一対の導電性接続ピンと導電性加圧ばねによって構成されていることを特徴とする請求項４に記載の脈拍計測装置。
【請求項７】
前記脈拍センサユニットに脈拍検出の始動と停止を指令する入力手段を設けたことを特徴とする請求項１〜６のいずれかに記載の脈拍計測装置。
【発明の詳細な説明】
【技術分野】
【０００１】
本発明はセンサハウジングに収納された脈拍センサと、前記脈拍センサの検出信号を処理して脈拍数を表示する表示部が計測器ケースに収納された脈拍計測器と、前記計測器ケースに固定された腕装着バンドであって前記ユニットケースが長手方向に調節可能に取り付けられた腕装着バンドとからなる脈拍計測装置、いわゆる腕時計型脈拍計測装置に関する。
【背景技術】
【０００２】
運動中などの脈拍数を常時計測し運動量の目安とするため、腕時計型脈拍計測装置が開発されてきた。従来の腕時計型脈拍計測装置は、図１２のブロック構成図に示す如く、脈拍計測器１、脈拍センサユニット２、腕装着バンド３Ａ，３Ｂ、及び信号線７とで構成されている。脈拍計測器１は、制御部１１、計時部１２、記憶部１３、表示部１４、設定スイッチ１５、機能スイッチ１６、及び電源１９、及びこれら構成要素を収納する計測器ケース１０で構成されている。
【０００３】
脈拍センサユニット２は、脈拍センサ２５と、脈拍センサ２５を収容するセンサハウジング２０とで構成されている。
【０００４】
腕装着バンド３は一対のバンド片３Ａと３Ｂからなり、一方のバンド片３Ａの一端を計測器ケース１０の一方のバンド取り付け部に、且つ他方のバンド片３Ｂの一端は計測器ケース１０の他方のバンド取り付け部にそれぞれ固定されている。そして、脈拍センサユニット２は、バンド片３Ｂに長手方向に調節可能にして取付けられている。脈拍センサユニット２のバンド上の取付位置を調節できるようにした位置調節機能は、利用者の手首の太さや動脈の位置がそれぞれ異なることに対応して設けられるもので、腕時計型脈拍計測装置には必須の機能である。
【０００５】
また、上述の如く、腕時計型脈拍計測装置では脈拍センサユニット２は脈拍計測器１と１０ｃｍ程度離れてバンド片３Ｂ上に取付けられているから、脈拍センサユニット２の「脈拍センサ２５の検出信号を脈拍計測器１に伝達し、制御部１１に入力するためには信号伝達手段が必要である。前記信号伝達手段は、図１２に於いては脈拍センサユニット２と脈拍計測器１とを結ぶ信号線７で示されている。以下、従来の腕時計型脈拍計測装置の具体的構造について説明する。
【０００６】
第１の従来の腕時計型脈拍計測装置は、特開２００２−１４３１０７号公報（特許文献１）に開示されている如く、腕時計ケースに取り付けられケースの両端より延びるバンドと、バンドに形成されバンド長手方向に延びる取付長孔と、脈拍センサを有し、圧縮可能で前記取付長孔に摺動可能に取付けられたセンサハウジングと、脈拍センサを腕時計ケース内の信号処理回路に電気的に接続する信号導通手段とよりなるものである。
【０００７】
この第１の従来の腕時計型脈拍計測装置は、脈拍検出部である脈拍センサを利用者毎に最適な位置に調整するという効果を奏するものであるが、脈拍センサはバンド側面に露出した金属線などの信号導通手段を介して腕時計ケース内の演算処理部に接続されている構造であるため、静電気の影響を受けて脈拍数測定装置が故障する恐れがある。即ち、センサハウジングをバンドの長手方向に沿って移動させた場合や、センサユニットやバンドと利用者の衣服との摩擦によって発生する静電気が、バンド側面に露出した金属線などの信号導通手段を介して脈拍センサや演算処理部を構成する半導体集積回路に伝わり、これらを破壊されることがあるからである。
【０００８】
第２の従来の腕時計型脈拍計測装置は、特開２００５−４０２５９号公報（特許文献２）に開示されている如く、脈拍センサと、この脈拍センサを手首に固定するバンドと、時計ケース内に収納された演算処理部を備えた脈拍数測定装置付腕時計において、脈拍センサをバンドの内側に上記バンドの長手方向に沿ってスライド自在に取り付けたこと、及び、信号ケーブルによって脈拍センサと演算処理部とを接続したことを特徴とするものである。
【０００９】
この第２の従来の腕時計型脈拍計測装置も、脈拍検出部である脈拍センサを利用者毎に最適な位置に調整するという効果を奏するものである。また、脈拍センサと時計ケース内の信号処理回路を接続する信号ケーブルは露出されていないので、上記の第１の従来の脈拍数測定装置付腕時計において発生する静電気による半導体集積回路等の破壊という問題もない。しかしながら、信号ケーブルは脈拍センサが時計ケース側に近づいた位置に移動させられると弛みを生じる。すると、この弛んだ信号ケーブルが何かに引っ掛かることが起こり、信号ケーブルの破損や信号ケーブルのソケットが時計ケースから抜けるなどの問題があった。要するに、信号伝達手段が物理的な力を受けて脈拍センサからの信号が演算処理部に伝わらなくなるという事態が発生するという問題があった。
【特許文献１】特開２００２−１４３１０７号公報
【特許文献２】特開２００５−４０２５９号公報
【発明の開示】
【発明が解決しようとする課題】
【００１０】
本発明が解決すべき課題は、センサハウジングに脈拍センサが収納された脈拍センサユニットと、脈拍数を表示する表示部を少なくとも備える脈拍計測器と、前記脈拍計測器に固定された腕装着バンドであって前記脈拍センサユニットが長手方向に調節可能に取り付けられた腕装着バンドとからなる脈拍計測装置において、前記脈拍センサユニットから前記脈拍計測器への信号伝達手段が物理的な悪影響を受けることなく、且つ、前記脈拍センサユニットの検出信号が静電気の影響を受けないで前記前記脈拍計測器に確実に伝達されるようにすることである。
【課題を解決するための手段】
【００１１】
上記課題を解決するために、センサハウジングに脈拍センサが収納された脈拍センサユニットと、脈拍数を表示する表示部を少なくとも備える脈拍計測器と、前記脈拍計測器に固定された腕装着バンドであって前記脈拍センサユニットが長手方向に位置調節が可能なようにして取り付けられた腕装着バンドとからなる脈拍計測装置において、前記脈拍センサユニットに無線送信部を、前記計測器に無線受信部をそれぞれ備え、前記脈拍センサユニットから前記計測器にデータを無線伝送するようにした。無線伝送される前記データは、前記脈拍センサユニットの脈拍センサの脈拍検出信号、又は前記脈拍検出信号を前記脈拍センサユニットの信号処理部で演算処理して得られた脈拍数である。
【発明の効果】
【００１２】
本発明により、センサハウジングに脈拍センサが収納された脈拍センサユニットと、脈拍数を表示する表示部を少なくとも備える脈拍計測器と、前記脈拍計測器に固定された腕装着バンドであって前記脈拍センサユニットが長手方向に調節可能に取り付けられた腕装着バンドとからなる脈拍計測装置において、静電気の影響を受けることなく、且つ信号伝達手段が物理的な悪影響を受けることなく、前記脈拍センサユニットの信号が前記脈拍計測器に確実に伝達されるようにすることができた。従って、本発明により、静電気や湿気などの外部環境に対して影響を受けない信頼性が高く且つ携帯性も良好な腕時計型脈拍計測装置が提供された。
【発明を実施するための最良の形態】
【００１３】
本発明に係る腕時計型脈拍計測装置は、センサハウジングに脈拍センサが収納された脈拍センサユニットと、前記脈拍センサの信号を処理して脈拍数を演算する演算処理部を内蔵した計測器ケースであって前記バンドに取り付けられた時計ケースを備えた脈拍数測定機能付腕時計において、前記脈拍センサユニットに無線送信部を備え、前記時計ケース内に無線受信部を備え、前記脈拍センサユニットの脈拍センサの信号を前記無線送信部と前記無線受信部を介して伝送し、前記演算処理部に入力するようにしたことを特徴とするものである。
【実施例１】
【００１４】
本発明の実施例１は、図１の腕時計型脈拍計測装置の主要部分の平面図、図２のバンド長手方向に沿って切断した時計ヘッドの断面図、図３の手首８に装着した状態でバンド長手方向に沿って切断して示した腕時計型脈拍計測装置の断面図、図４のバンド長手方向に沿って切断して示した脈拍センサユニットの拡大断面図、及び図１０の腕時計型脈拍計測装置のブロック回路図に示す如く、センサハウジング２０に脈拍センサ２５が収納された脈拍センサユニット２、脈拍数を表示する表示部１６を少なくとも備える時計ヘッド１、及び一対のバンド片３Ａと３Ｂとからなるバンドとで構成された腕時計型脈拍計測装置であって、脈拍センサユニット２は電源を内蔵したものである。
【００１５】
即ち、実施例１の腕時計型脈拍計測装置は、センサハウジング２０に脈拍センサ２５が収納された脈拍センサユニット２、脈拍数を表示する表示部１６を少なくとも備える時計ヘッド１、及び一対のバンド片３Ａと３Ｂとからなるバンドとで構成された腕時計型脈拍計測装置において、脈拍センサユニット２に無線送信部２７を、時計ヘッド１に無線受信部１７をそれぞれ備えたこと、及び脈拍センサユニット２は電源を内蔵することを特徴とするものである。脈拍センサ２５は発光素子と受光素子を含むセンサである。センサハウジング２０は、後に説明する実施例２と異なり、バンド片３Ｂの裏側に配置されている。
【００１６】
一対のバンド片３Ａと３Ｂとからなるバンドは、バンド片３Ａの一端を時計ケース１０の一方のバンド取付部にバネ棒５１Ａによって取付けられ、バンド片３Ｂの一端を時計ケース１０の一方のバンド取付部にバネ棒５１Ｂによって取付けられている。
【００１７】
実施例１の腕時計型脈拍計測装置は、ブロック回路で示せば図１０の如く、脈拍計測器として機能する時計ヘッド１、電源を内蔵した脈拍センサユニット２、及び一対のバンド片３Ａと３Ｂとで構成されたものである。時計ヘッド１は、制御部１１、計時部１２、記憶部１３、時刻設定を行う設定スイッチ１４、モード切替などを行う機能スイッチ１５、表示部１６、無線受信部１７、受信アンテナ１８、及び電源部１９が時計ケース１０に収納されたものである。また、脈拍センサユニット２は、図１０に示す如く、制御部２１、計時部２２、記憶部２３、入力スイッチ２４、発光素子と受光素子を含む脈拍センサ２５、無線送信部２７、送信アンテナ２８、及び電源部２９がセンサハウジング２０に収納されたものである。
【００１８】
時計ヘッド１の時計ケース１０には、図１と図２に示す如く、パネル枠に取付けられた回路ブロック３４と液晶表示パネル１６と受信アンテナ１８が収納され、電池枠３５に保持された電池３６も収納されている。そして、時計ケース１０は、その表側開口をカバーガラス３１で封止され、且つその裏側開口を裏蓋３２で封止されている。
【００１９】
脈拍センサユニット２のセンサハウジング２０には、図３と図４に示す如く、パネル枠に取付けられた回路ブロック４０と送信アンテナ２８、発光素子と受光素子を含む脈拍センサ２５、電池枠に保持された電池３７が収納されている。センサハウジング２０の中央部には透明なヘッドカバー３８で封止された開口部が形成され、前記開口部に対応したセンサハウジング２０内の位置に脈拍センサ２５は配置されている。
【００２０】
実施例１の時計型脈拍計測装置において、脈拍センサユニット２は、図１と図３に示す如く、その脈拍センサ２５のヘッドカバー３８が利用者の手首８の動脈位置、即ち脈拍検出に適した表面に接触し、且つ長手方向に調節可能にして取り付けられている。
【００２１】
脈拍センサユニット２のセンサハウジング２０は、図３と図４に示す如く、裏蓋３９側に第１突起４１Ａと第２突起４１Ｂ、及び止め具４２を備えたバンド挿入部が形成されている。止め具４２は、その一端を第１突起４１Ａに回動可能に取付けられたばね部材であって、バンド片側に補助ばね部材４２Ａを備えたものである。脈拍センサユニット２のセンサハウジング２０は、バンド片３Ｂの所定の位置まで前記バンド挿入部に挿入され、止め具４２の他端を第２突起４１Ｂに係止させる。すると、脈拍センサユニット２は補助ばね部材４２Ａのばね作用も機能して、バンド片３Ｂの裏側に且つ所定の脈拍検出位置にしっかりと固定される。
【００２２】
実施例１の腕時計型脈拍計測装置を腕に装着した利用者が脈拍センサユニット２の入力スイッチ２４を押すと、脈拍計測モードに入る。即ち、脈拍センサ２５は脈拍検出信号を出力して制御部２１に入力する。すると、制御部２１は記憶部２３に記憶されているプログラムに従って脈拍検出信号を演算処理して脈拍数を出力する。続いて、制御部２１は無線送信部２７を作動させてアンテナ２８から前記脈拍数データを無線送信する。時計ヘッド１では、無線受信部１７がアンテナ１８を介して前記脈拍数データを受信し、制御部１１に入力する。すると、制御部１１は表示部１６を作動させて脈拍数を表示させる。利用者が脈拍センサユニット２の入力スイッチ２４を再び押すと、脈拍計測モードは終了する。
【００２３】
以上、実施例１の腕時計型脈拍計測装置において、脈拍センサユニット２は脈拍センサ２５の脈拍検出信号をその制御部２１で脈拍数に演算処理し、前記脈拍数を無線送信部２７から送信するようにし、且つ、脈拍計測器である時計ヘッド１は無線受信部１７で前記脈拍数を受信し、表示部１６で表示するように構成した。
【００２４】
しかしながら、実施例１の腕時計型脈拍計測装置において、脈拍センサユニット２は脈拍センサ２５の脈拍検出信号を無線送信部２７から送信するようにし、且つ、脈拍計測器である時計ヘッド１は無線受信部１７で前記脈拍検出信号を受信し、その制御部１１で脈拍数に演算処理し、前記脈拍数を表示部１６で表示するように構成することもできる。
【００２５】
ところで、時計ヘッド１の無線受信部１７を無線送受信部として構成し、且つ脈拍センサユニット２の無線送信部２７を無線送信部として構成し、時計ヘッド１から脈拍センサユニット２の起動を制御するようにした脈拍計測モードの切換も実現できる。この場合、脈拍計測モードの切換指令は時計ヘッドの機能スイッチ１５の操作により入力され、脈拍計測モードの切換信号データが制御部１１からその送受信部を介して送信される。そして、脈拍センサユニット２の送受信部は前記脈拍計測モードの切換信号データを受信して、制御部２１や脈拍センサ２５などの各構成要素を作動させることになる。
【実施例２】
【００２６】
本発明の実施例２は、図５の腕時計型脈拍計測装置の主要部分の平面図、図６のバンド長手方向に沿って切断した時計ヘッドの断面図、図７の手首８に装着した状態でバンド長手方向に沿って切断して示した腕時計型脈拍計測装置の断面図、図８と図９のバンド長手方向に沿って切断して示した脈拍センサユニットの拡大断面図、及び図１１の腕時計型脈拍計測装置のブロック回路図に示す如く、センサハウジング２０に脈拍センサ２５が収納された脈拍センサユニット２、脈拍数を表示する表示部１６を少なくとも備える時計ヘッド１、及び一対のバンド片３Ａと３Ｂとからなるバンドとで構成された腕時計型脈拍計測装置であって、脈拍センサユニット２は時計ヘッド１から給電されているものである。
【００２７】
即ち、実施例２の腕時計型脈拍計測装置は、センサハウジング２０に脈拍センサ２５が収納された脈拍センサユニット２、脈拍数を表示する液晶表示パネル１６を少なくとも備える脈拍計測器、即ち時計ヘッド１、及び一対のバンド片３Ａと３Ｂとからなるバンドとで構成された腕時計型脈拍計測装置において、脈拍センサユニット２に無線送信部２７を、時計ヘッド１に無線受信部１７をそれぞれ備えたこと、及び、時計ヘッド１の電源部から脈拍センサユニット２に給電する電源用配線４をバンド３Ｂに備えたことを特徴とするものである。脈拍センサ２５は発光素子と受光素子を含むセンサである。センサハウジング２０は、実施例１と異なり、バンド３Ｂの表側に配置され、且つ脈拍センサユニット２のセンサ面だけがバンド３Ｂの裏側に露出するように構成されている。
【００２８】
一対のバンド片３Ａと３Ｂとからなるバンドは、バンド片３Ａの一端を時計ケース１０の一方のバンド取付部にバネ棒５１Ａによって取付けられ、またバンド片３Ｂの一端を時計ケース１０の一方のバンド取付部にバネ棒５１Ｂによって取付けられている。
【００２９】
実施例２の腕時計型脈拍計測装置は、ブロック回路で示せば図１１の如く、脈拍計測器として機能する時計ヘッド１、脈拍センサユニット２、一対のバンド片３Ａと３Ｂ、及び電源用配線４とで構成されたものである。電源用配線４は固定接続部５で時計ヘッド１に、且つ位置可変接続部６によって脈拍センサユニット２にそれぞれ接続されている。時計ヘッド１は、制御部１１、計時部１２、記憶部１３、時刻設定を行う設定スイッチ１４、モード切替などを行う機能スイッチ１５、表示部１６、無線受信部１７、受信アンテナ１８、及び電源部１９が時計ケース１０に収納されたものである。また、脈拍センサユニット２は、発光素子と受光素子を含む脈拍センサ２５、無線送信部２７、及び送信アンテナ２８がセンサハウジング２０に収納されたものである。
【００３０】
時計ヘッド１の時計ケース１０には、図５と図６に示す如く、パネル枠に取付けられた回路ブロック３４と液晶表示パネル１６Ａと受信アンテナ１８が収納され、電池枠３５に保持された電池３６も収納されている。そして、時計ケース１０は、その表側開口をカバーガラス３１で封止され、且つその裏側開口を裏蓋３２で封止されている。
【００３１】
脈拍センサユニット２のセンサハウジング２０は、図７から図９に示す如く、本体部となる表ケース２０Ａと、中央に円筒状の突出部を有する裏ケース２０Ｂとで構成されている。表ケース２０Ａには、パネル枠に取付けられた回路ブロック４０と送信アンテナ２８が収容され、裏ケース２０Ｂには発光素子と受光素子を含む脈拍センサ２５が収容されている。裏ケース２０Ｂの突出部の開口部は、透明なヘッドカバー３８で封止されている。
【００３２】
センサハウジング２０は、センサハウジング２０の表ケース２０Ａをバンド片３Ｂの表側に配置し、センサハウジング２０の裏ケース２０Ｂの突出部をバンド片３Ｂのスリット４８を貫通させ、透明なヘッドカバー３８がバンド片３Ｂの裏面から僅かに突出するようにしてバンド片３Ｂに取付けられている。スリット４８は、脈拍センサ２５の収納部である裏ケース２０Ｂの突出部の表面、即ちセンサ面をバンドの裏側に露出させるための貫通穴である。
【００３３】
スリット４８は、バンド片３Ｂに長手方向に延びて矩形の貫通孔として形成されている。従って、脈拍センサユニット２は、スリット４８の長手方向の長さの範囲内でバンド片３Ｂへの取付位置が調節可能になっている。
【００３４】
バンド片３Ｂの表面のスリット４８の両側には、複数の小さな凹み部４９が長手方向に等間隔に形成されている。凹み部４９の直径は導電性接続ピン４６の直径より僅かに大きく、且つ隣り合う凹み部４９の間隔は脈拍センサユニット２のバンド片３Ｂへの取付位置調節に適した間隔にそれぞれ選定されている。
【００３５】
時計ヘッド１の電源部１９から脈拍センサユニット２に駆動電圧を供給する電源用配線４は、脈拍計測器である時計ヘッド１の固定接続部からスリット４８の端から端まで延伸してバンド片３Ｂに取り付けられている。電源用配線４は、固定接続部からスリット４８の一端まではバンド片３Ｂに完全に埋め込まれ、且つスリット４８の一端から他端までは部分的に露出するようにしてバンド片３Ｂに埋め込まれている。電源用配線４と時計ヘッド１の回路ブロック３４のプリント回路との接続は、接続ピン４４と導通ばね４５によって行われている。接続ピン４４と導通ばね４５による接続部は、図１１の固定接続部５を構成している。なお、回路ブロック３４のプリント回路には、電源１９から給電されている。
【００３６】
スリット４８の一端から他端までの部分的露出を伴う電源用配線４のバンド片３Ｂへの取り付けは、スリット４８の両側に長手方向に等間隔に形成されている位置調節用凹み部４９の底面に電源用配線４を露出させて行われている。
【００３７】
脈拍センサユニット２の回路ブロック４０のプリント配線と電源用配線４との接続は、センサハウジング２０に配置された一対の導電性接続ピン４６と導電性加圧ばね４７を用いて行われている。即ち、図９に示す如く、センサハウジング２０に設けられた一対のガイド穴に挿入された導電性接続ピン４６は、その後端部を回路ブロック４０に導電性加圧ばね４７を介して接続されており、その先端部を凹み部４９の下面に露出している電源用配線４に導電性加圧ばね４７から加圧されて接触している。前記一対のガイド穴は、センサハウジング２０の裏ケース２０Ｂの中央の円筒状突出部の両側に近接した位置に、即ち、バンド片３Ｂの表面のスリット４８の両側に形成されている複数の小さな凹み部４９に対応する位置に形成されている。
【００３８】
要するに、電源用配線４を脈拍センサユニット２に接続させる位置可変接続部（図１１の位置可変接続部６）は、スリット４８の両側に長手方向に等間隔に形成されている位置調節用凹み部４９の底面に形成された電源用配線４の露出部、センサハウジング２０に配置された一対の導電性接続ピン４６、及び導電性加圧ばね４７によって構成されている。
【００３９】
センサハウジング２０の脈拍センサ収納部である裏ケース２０Ｂの突出部の先端部には、スリット４８の長手方向の側面に沿った保持用ひさし部５２が形成されている。従って、バンド片３Ｂは、センサハウジング２０の裏面と保持用ひさし部５２との間に挟まれている。これによって、センサユニット２はバンド片３Ｂに保持され、その位置に固定される。そして、電源用配線４と脈拍センサユニット２の回路ブロック４０とを電気的に接続する接続ピン４６は、その先端部が凹み部４９に収まり、その下面に露出しているに導電性加圧ばね４７から加圧されて接触している。このようにして電源用配線４と脈拍センサユニット２の回路ブロック４０との接続を保持しながら、センサユニット２のバンド片３Ｂの長手方向の取付位置はスリット４８の長手方向の長さの範囲内で凹み部４９の配置間隔毎に調節可能となる。
【００４０】
実施例２の腕時計型脈拍計測装置において、脈拍センサユニット２は、その脈拍センサ２５の透明なヘッドカバー３８が利用者の手首の動脈位置、即ち脈拍検出に適した表面に接触するようにし、且つ長手方向に調節可能にして取り付けられている。実施例２の腕時計型脈拍計測装置は、実施例１と比較すると、バンドと手首８との接触面積が広くなり、自然な装着感が得られるという特長がある。
【００４１】
実施例２の腕時計型脈拍計測装置を腕に装着した利用者が脈拍センサユニット２の入力スイッチ（図示しない）を押すと、脈拍計測モードに入る。即ち、脈拍センサ２５は脈拍検出信号を出力して制御部２１に入力する。すると、制御部２１は無線送信部２７を作動させてアンテナ２８から前記脈拍検出信号データを無線送信する。時計ヘッド１では、無線受信部１７がアンテナ１８を介して前記脈拍検出信号データを受信し、制御部１１に入力する。すると、制御部１１は記憶部１３に記憶されているプログラムに従って脈拍検出信号データを演算処理して脈拍数を出力する。続いて制御部１１は表示部１６を作動させて前記脈拍数を表示させる。利用者が脈拍センサユニット２の入力スイッチ（図示しない）を再び押すと、脈拍計測モードは終了する。
【００４２】
以上、実施例２の腕時計型脈拍計測装置において、脈拍センサユニット２は脈拍センサ２５の脈拍検出信号を無線送信部２７から送信し、且つ、脈拍計測器である時計ヘッド１は無線受信部で１７前記脈拍検出信号を受信し、その制御部１１で脈拍数に演算処理し、前記脈拍数を表示部１６で表示するように構成した。
【００４３】
しかしながら、実施例２の腕時計型脈拍計測装置において、脈拍センサユニット２は脈拍センサ２５の脈拍検出信号を脈拍数に演算処理し、前記脈拍数を無線送信部２７から送信するようにし、且つ、脈拍計測器である時計ヘッド１は無線受信部１７で前記脈拍数を受信し、表示部１６で表示するように構成することもできる。
【００４４】
ところで、実施例２の腕時計型脈拍計測装置においては、時計ヘッドの機能スイッチ１５を操作して、脈拍計測モードの切換を行うようにすることもできる。例えば、電源用配線４に電子スイッチを挿入し、前記電子スイッチのオンオフを機能スイッチ１５の入力によって制御部１１が制御するように構成することで実現できる。
【図面の簡単な説明】
【００４５】
【図１】実施例１の腕時計型脈拍計測装置の主要部分の平面図である。但し、図の右側半分は時計ヘッドのカバーガラスが取り除かれた状態で示されている。
【図２】実施例１の腕時計型脈拍計測装置を構成する時計ヘッドのバンド長手方向に沿って切断した断面図である。
【図３】手首８に装着した状態の実施例１の腕時計型脈拍計測装置を、バンド長手方向に沿って切断して示した断面図である。
【図４】実施例１の腕時計型脈拍計測装置を構成する脈拍センサユニットのバンド長手方向に沿って切断して示した拡大断面図である。
【図５】実施例２の腕時計型脈拍計測装置の主要部分の平面図である。但し、図の左側半分は時計ヘッドのカバーガラスが取り除かれた状態で示されている。
【図６】実施例２の腕時計型脈拍計測装置を構成する時計ヘッドのバンド長手方向に沿って切断した断面図である。
【図７】手首８に装着した状態の実施例２の腕時計型脈拍計測装置を、バンド長手方向に沿って切断して示した断面図である。
【図８】実施例２の腕時計型脈拍計測装置を構成する脈拍センサユニットのバンド長手方向に沿って切断して示した拡大断面図である。
【図９】バンドに取付けられた状態の実施例２の腕時計型脈拍計測装置を構成する脈拍センサユニットの拡大断面図である。但し、バンド長手方向と直角な方向に沿って切断した断面図である。
【図１０】脈拍計測器としての時計ヘッドと脈拍センサユニットをそれぞれブロック回路で示した実施例１の腕時計型脈拍計測装置の構成図である。
【図１１】脈拍計測器としての時計ヘッドと脈拍センサユニットをそれぞれブロック回路で示した実施例２の腕時計型脈拍計測装置の構成図である。
【図１２】脈拍計測器としての時計ヘッドと脈拍センサユニットをそれぞれブロック回路で示した従来の腕時計型脈拍計測装置の構成図である。
【符号の説明】
【００４６】
１  時計ヘッド
２  脈拍センサユニット
３Ａ，３Ｂ  バンド片
４  電源用配線
５  固定接続部
６  位置可変接続部
７  信号線
８  手首
１０  時計ケース
１１  制御部
１２  計時部
１３  記憶部
１４  設定スイッチ
１５  機能スイッチ
１６  表示部
１６Ａ  液晶表示パネル
１７  受信部
１８  受信アンテナ
１９  電源部
２０  センサハウジング
２０Ａ  表ケース
２０Ｂ  裏ケース
２１  制御部
２２  計時部
２３  記憶部
２４  入力スイッチ
２５  脈拍センサ
２７  送信部
２８  送信アンテナ
２９  電源部
３１  時計ヘッドのカバーガラス
３２  時計ヘッドの裏蓋
３４  時計ヘッドの回路ブロック
３５  電池枠
３６，３７  電池
３８  センサユニットの透明ヘッドカバー
３９  センサユニットの裏蓋
４０  脈拍センサユニットの回路ブロック
４１Ａ  バンド挿入部の第１突起部
４１Ｂ  バンド挿入部の第２突起部
４２  止め具
４２Ａ  止め具のばね部
４４  時計ヘッド側の導電性接続ピン
４５  時計ヘッド側の導通ばね
４６  脈拍センサユニット側の導電性接続ピン
４７  脈拍センサユニット側の導電性加圧ばね
４８  スリット
４９  凹み部
５１Ａ，５１Ｂ  ばね棒
５２  保持用ひさし部
【図１】
0004813919.tif 000002
【図２】
0004813919.tif 000003
【図３】
0004813919.tif 000004
【図４】
0004813919.tif 000005
【図５】
0004813919.tif 000006
【図６】
0004813919.tif 000007
【図７】
0004813919.tif 000008
【図８】
0004813919.tif 000009
【図９】
0004813919.tif 000010
【図１０】
0004813919.tif 000011
【図１１】
0004813919.tif 000012
【図１２】
0004813919.tif 000013